(57)【特許請求の範囲】
【請求項１】
掛け布団２を掛け布団カバー３で覆った寝具の上掛け１に吊り具通し穴をあける方法であって、
前記上掛け１の掛け布団２に、その表面２ａから裏面２ｂに連続した布団穴２４をあけ、前記掛け布団２の表面２ａにおける前記布団穴２４の周囲に布団表側補強シート２６を貼り付け、前記掛け布団２の裏面２ｂにおける前記布団穴２４の周囲に布団裏側補強シート２７を貼り付けて前記布団穴２４を閉塞して前記布団穴２４の周縁がほどけないようにし、
その後、前記布団表側補強シート２６と前記布団裏側補強シート２７に、前記布団穴２４の内径より小径の穴２６ａ，２７ａをそれぞれあけて掛け布団２の表面２ａから裏面２ｂに連続した布団吊り具通し穴１０を形成し、
前記掛け布団２を覆う掛け布団カバー３に布団カバー穴をあけ、前記掛け布団カバー３に布団カバー補強シートを貼り付けて前記布団カバー穴を閉塞して前記布団カバー穴の周縁がほどけないようにし、
その後、前記布団カバー補強シートに、前記布団カバー穴の内径より小径の布団カバー吊り具通し穴をあけ、
前記掛け布団２と前記掛け布団カバー３を、前記布団吊り具通し穴１０と前記布団カバー吊り具通し穴が連続するように組み合せて上掛けの吊り具通し穴を形成することを特徴とする寝具の上掛けに吊り具通し穴をあける方法。
【請求項２】
請求項１に記載された寝具の上掛けに吊り具通し穴をあける方法において、
前記掛け布団カバー３の前記掛け布団２の表面２ａを覆う布団カバー表側布地３０に布団カバー表側穴３２をあけ、
その後、前記布団カバー表側布地３０の内側面３０ａと外側面３０ｂに布団カバー表側補強シート３４をそれぞれ貼り付け、その各布団カバー表側補強シート３４に、前記布団カバー表側穴３２より小径の穴を連続してあけて布団カバー表側吊り具通し穴１１とし、
前記掛け布団カバー３の前記掛け布団２の裏面２ｂを覆う布団カバー裏側布地３１に布団カバー裏側穴３３をあけ、
その後、前記布団カバー裏側布地３１の内側面３１ａと外側面３１ｂに布団カバー裏側補強シート３５をそれぞれ貼り付け、その各布団カバー裏側補強シート３５に、前記布団カバー裏側穴３３より小径の穴をそれぞれ連続してあけて布団カバー裏側吊り具通し穴１２とし、
前記布団カバー表側吊り具通し穴１１と前記布団吊り具通し穴１０と前記布団カバー裏側吊り具通し穴１２を連続して吊り具通し穴とする寝具の上掛けに吊り具通し穴をあける方法。
【請求項３】
掛け布団２のみの寝具の上掛け１に吊り具通し穴をあける方法であって、
前記寝具の上掛け１の掛け布団２に、その表面２ａから裏面２ｂに連続した布団穴２４をあけ、前記掛け布団２の表面２ａにおける前記布団穴２４の周囲に布団表側補強シート２６を貼り付け、前記掛け布団２の裏面２ｂにおける前記布団穴２４の周囲に布団裏側補強シート２７を貼り付けて前記布団穴２４を閉塞して前記布団穴２４の周縁がほどけないようにし、
その後、前記布団表側補強シート２６と前記布団裏側補強シート２７に、前記布団穴２４の内径より小径の穴２６ａ、２７ａをそれぞれあけて掛け布団２の表面２ａから裏面２ｂに連続した布団吊り具通し穴１０を形成することで、吊り具通し穴を有する上掛けとすることを特徴とする寝具の上掛けに吊り具通し穴をあける方法。
【請求項４】
請求項１ないし３のいずれかに記載された寝具の上掛けに吊り具通し穴をあける方法において、
前記掛け布団２の前記布団穴２４に通し穴穿孔用部材２５を設け、
前記掛け布団２の表面２ａにおける前記布団穴２４の周囲と前記通し穴穿孔用部材２５の一方の端面に亘り布団表側補強シート２６を貼り付け、前記掛け布団２の裏面２ｂにおける前記布団穴２４の周囲と前記通し穴穿孔用部材２５の他方の端面に亘り布団裏側補強シート２７をそれぞれ貼り付けて前記布団穴２４を閉塞して前記布団穴２４の周縁がほどけないようにし、
その後、前記布団表側補強シート２６と前記通し穴穿孔用部材２５と前記布団裏側補強シート２７に、前記布団穴２４の内径より小径の穴２６ａ，２５ａ，２７ａを連続してそれぞれあけ、前記布団表側補強シート２６の穴２６ａと前記通し穴穿孔用部材２５の穴２５ａと前記布団裏側補強シート２７の穴２７ａとで前記布団吊り具通し穴１０を形成する寝具の上掛けに吊り具通し穴をあける方法。
【請求項５】
掛け布団２と、その掛け布団２を覆う掛け布団カバー３を備えた寝具の上掛け１であって、
前記掛け布団２は、その表面２ａから裏面２ｂに連続した布団穴２４を有し、
前記掛け布団２の表面２ａ、裏面２ｂには、前記布団穴２４を覆う布団表側補強シート２６、布団裏側補強シート２７がそれぞれ貼り付けられ、
前記布団表側補強シート２６と前記布団裏側補強シート２７は、前記布団穴２４の内径より小径で、前記掛け布団２の表面２ａから裏面２ｂに連続した布団吊り具通し穴１０を形成する穴を有し、
前記掛け布団カバー３は布団カバー穴を有し、
前記掛け布団カバー３には、前記布団カバー穴を閉塞する布団カバー補強シートが貼り付けられており、
前記布団カバー補強シートは、前記布団カバー穴の内径より小径の布団カバー吊り具通し穴を有し、
前記布団吊り具通し穴１０と前記布団カバー吊り具通し穴が連続していることを特徴とする吊り具通し穴を有する寝具の上掛け。
【請求項６】
請求項５に記載された吊り具通し穴を有する寝具の上掛けにおいて、
前記掛け布団カバー３の前記掛け布団２の表面２ａを覆う布団カバー表側布地３０は布団カバー表側穴３２を有し、
前記布団カバー表側布地３０の内側面３０ａと外側面３０ｂに布団カバー表側補強シート３４がそれぞれ貼り付けられており、その各布団カバー表側補強シート３４は、前記布団カバー表側穴３２より小径の布団カバー表側吊り具通し穴１１を有し、
前記掛け布団カバー３の前記掛け布団２の裏面２ｂを覆う布団カバー裏側布地３１は布団カバー裏側穴３３を有し、
前記布団カバー裏側布地３１の内側面３１ａと外側面３１ｂに布団カバー裏側補強シート３５がそれぞれ貼り付けられており、その各布団カバー裏側補強シート３５は前記布団カバー裏側穴３３より小径の布団カバー裏側吊り具通し穴１２を有し、
前記布団カバー表側吊り具通し穴１１と前記布団吊り具通し穴１０と前記布団カバー裏側吊り具通し穴１２が連続した吊り具通し穴となる吊り具通し穴を有する寝具の上掛け。
【請求項７】
掛け布団２のみの寝具の上掛け１であって、
前記掛け布団２は、その表面２ａから裏面２ｂに連続した布団穴２４を有し、
前記掛け布団２の表面２ａ、裏面２ｂには、前記布団穴２４を覆う布団表側補強シート２６、布団裏側補強シート２７がそれぞれ貼り付けられており、
前記布団表側補強シート２６と前記布団裏側補強シート２７は、前記布団穴２４の内径より小径で、前記掛け布団２の表面２ａから裏面２ｂに連続した吊り具通し穴を形成する穴をそれぞれ有することを特徴とする吊り具通し穴を有する寝具の上掛け。
【請求項８】
請求項５ないし７のいずれかに記載された吊り具通し穴を有する寝具の上掛けにおいて、
前記掛け布団２の前記布団穴２４に通し穴穿孔用部材２５が設けられ、
前記掛け布団２の表面２ａにおける前記布団穴２４の周囲と前記通し穴穿孔用部材２５の一方の端面に亘り布団表側補強シート２６が貼り付けられており、前記掛け布団２の裏面２ｂにおける前記布団穴２４の周囲と前記通し穴穿孔用部材２５の他方の端面に亘りそれぞれ貼り付けられた布団裏側補強シート２７で前記布団穴２４が閉塞されており、
前記布団表側補強シート２６と前記通し穴穿孔用部材２５と前記布団裏側補強シート２７が、前記布団穴２４の内径より小径で、前記布団吊り具通し穴１０を形成する穴を有する吊り具通し穴を有する寝具の上掛け。
【発明の詳細な説明】
【技術分野】
【０００１】
本発明は、寝具の上掛けに、その上掛けを吊り下げ保持する吊り具を通すための吊り具通し穴をあける方法及びその吊り具通し穴を有する寝具の上掛けに関する。
【背景技術】
【０００２】
ベッドや布団などの寝具に寝ている人が、上半身を起こしたり、その上半身を起こした姿勢から再び寝たりする寝起き動作は苦しいことである。
特に、高齢者、身体不自由の人、病人、けがの人などにとっては、前述の寝起き動作は大変苦しく、介護人の手助けがなければ寝起き動作ができないことがある。
このことを解消し寝起き動作を楽にできるようにした寝具用寝起き補助装置が特許文献１に開示されている。
この寝具用寝起き補助装置は、支持部材と取り付け部材と上掛け保持部材を備え、上掛け保持部材の吊り具で上掛けを吊り下げ保持し、寝起き動作を楽にできるようにしている。
【先行技術文献】
【特許文献】
【０００３】
【特許文献１】特許第５２９４４８６号公報
【発明の概要】
【発明が解決しようとする課題】
【０００４】
従来の寝具用寝起き補助装置は、吊り具で上掛けを吊り下げ保持するが、その吊り具で上掛けをどのようにして吊り下げ保持するかが問題で、本発明者等は種々の吊り下げ保持を試みた。
最初に、吊り具を吊り紐とし、その吊り紐の端部を上掛けの表面、つまり、寝具に寝ている人に触れる側の裏面と反対の面に縫い付けることで吊り下げ保持した。
このように吊り下げ保持したところ、上掛けの重さで吊り紐の縫い付け部分が破れ、吊り紐から上掛けが外れることがあり、実用には不向きであった。
次に、上掛けの表面から裏面に連続して吊り具通し穴をあけ、吊り具を吊り具通し穴に通し、その吊り具の下部分を上掛けの裏面における吊り具通し穴の周囲に接触して支持することで吊り下げ保持した。
このように吊り下げ保持したところ、時間の経過とともに吊り具通し穴の周縁がほどけ、上掛けが吊り具から抜け落ちることがあり、この吊り下げ保持も実用には不向きであった。つまり、上掛けの表面と裏面は布地であるので、吊り具通し穴をあけることにより吊り具通し穴の周縁の縦糸、横糸がほどけ、吊り具通し穴の内径が段々に大きくなり上掛けが吊り具から抜け落ちてしまう。
【０００５】
本発明は、前述の課題を解決するために成されたもので、その目的は、穴の周縁がほどけることがない吊り具通し穴を寝具の上掛けにあける方法及びその吊り具通し穴を有する寝具の上掛けを提供することである。
【課題を解決するための手段】
【０００６】
本発明の寝具の上掛けに吊り具通し穴をあける方法は、掛け布団２を掛け布団カバー３で覆った寝具の上掛け１に吊り具通し穴をあける方法であって、
前記上掛け１の掛け布団２に、その表面２ａから裏面２ｂに連続した布団穴２４をあけ、前記掛け布団２の表面２ａにおける前記布団穴２４の周囲に布団表側補強シート２６を貼り付け、前記掛け布団２の裏面２ｂにおける前記布団穴２４の周囲に布団裏側補強シート２７を貼り付けて前記布団穴２４を閉塞して前記布団穴２４の周縁がほどけないようにし、
その後、前記布団表側補強シート２６と前記布団裏側補強シート２７に、前記布団穴２４の内径より小径の穴２６ａ，２７ａをそれぞれあけて掛け布団２の表面２ａから裏面２ｂに連続した布団吊り具通し穴１０を形成し、
前記掛け布団２を覆う掛け布団カバー３に布団カバー穴をあけ、前記掛け布団カバー３に布団カバー補強シートを貼り付けて前記布団カバー穴を閉塞して前記布団カバー穴の周縁がほどけないようにし、
その後、前記布団カバー補強シートに、前記布団カバー穴の内径より小径の布団カバー吊り具通し穴をあけ、
前記掛け布団２と前記掛け布団カバー３を、前記布団吊り具通し穴１０と前記布団カバー吊り具通し穴が連続するように組み合せて上掛けの吊り具通し穴を形成することを特徴とする寝具の上掛けに吊り具通し穴をあける方法である。
【０００７】
本発明の寝具の上掛けに吊り具通し穴をあける方法においては、前記掛け布団カバー３の前記掛け布団２の表面２ａを覆う布団カバー表側布地３０に布団カバー表側穴３２をあけ、
その後、前記布団カバー表側布地３０の内側面３０ａと外側面３０ｂに布団カバー表側補強シート３４をそれぞれ貼り付け、その各布団カバー表側補強シート３４に、前記布団カバー表側穴３２より小径の穴を連続してあけて布団カバー表側吊り具通し穴１１とし、
前記掛け布団カバー３の前記掛け布団２の裏面２ｂを覆う布団カバー裏側布地３１に布団カバー裏側穴３３をあけ、
その後、前記布団カバー裏側布地３１の内側面３１ａと外側面３１ｂに布団カバー裏側補強シート３５をそれぞれ貼り付け、その各布団カバー裏側補強シート３５に、前記布団カバー裏側穴３３より小径の穴をそれぞれ連続してあけて布団カバー裏側吊り具通し穴１２とし、
前記布団カバー表側吊り具通し穴１１と前記布団吊り具通し穴１０と前記布団カバー裏側吊り具通し穴１２を連続して吊り具通し穴とする寝具の上掛けに吊り具通し穴をあける方法とすることができる。
【０００８】
本発明の寝具の上掛けに吊り具通し穴をあける方法は、掛け布団２のみの寝具の上掛け１に吊り具通し穴をあける方法であって、
前記寝具の上掛け１の掛け布団２に、その表面２ａから裏面２ｂに連続した布団穴２４をあけ、前記掛け布団２の表面２ａにおける前記布団穴２４の周囲に布団表側補強シート２６を貼り付け、前記掛け布団２の裏面２ｂにおける前記布団穴２４の周囲に布団裏側補強シート２７を貼り付けて前記布団穴２４を閉塞して前記布団穴２４の周縁がほどけないようにし、
その後、前記布団表側補強シート２６と前記布団裏側補強シート２７に、前記布団穴２４の内径より小径の穴２６ａ、２７ａをそれぞれあけて掛け布団２の表面２ａから裏面２ｂに連続した布団吊り具通し穴１０を形成することで、吊り具通し穴を有する上掛けとすることを特徴とする寝具の上掛けに吊り具通し穴をあける方法である。
【０００９】
本発明の寝具の上掛けに吊り具通し穴をあける方法においては、前記掛け布団２の前記布団穴２４に通し穴穿孔用部材２５を設け、
前記掛け布団２の表面２ａにおける前記布団穴２４の周囲と前記通し穴穿孔用部材２５の一方の端面に亘り布団表側補強シート２６を貼り付け、前記掛け布団２の裏面２ｂにおける前記布団穴２４の周囲と前記通し穴穿孔用部材２５の他方の端面に亘り布団裏側補強シート２７をそれぞれ貼り付けて前記布団穴２４を閉塞して前記布団穴２４の周縁がほどけないようにし、
その後、前記布団表側補強シート２６と前記通し穴穿孔用部材２５と前記布団裏側補強シート２７に、前記布団穴２４の内径より小径の穴２６ａ，２５ａ，２７ａを連続してそれぞれあけ、前記布団表側補強シート２６の穴２６ａと前記通し穴穿孔用部材２５の穴２５ａと前記布団裏側補強シート２７の穴２７ａとで前記布団吊り具通し穴１０を形成する寝具の上掛けに吊り具通し穴をあける方法とすることができる。
この様にすれば、掛け布団２の通し穴穿孔用部材２５の穴２５ａをガイドとして上掛け１の吊り具通し穴に吊り具を容易に通すことができる。
【００１０】
本発明の吊り具通し穴を有する寝具の上掛けは、掛け布団２と、その掛け布団２を覆う掛け布団カバー３を備えた寝具の上掛け１であって、
前記掛け布団２は、その表面２ａから裏面２ｂに連続した布団穴２４を有し、
前記掛け布団２の表面２ａ、裏面２ｂには、前記布団穴２４を覆う布団表側補強シート２６、布団裏側補強シート２７がそれぞれ貼り付けられ、
前記布団表側補強シート２６と前記布団裏側補強シート２７は、前記布団穴２４の内径より小径で、前記掛け布団２の表面２ａから裏面２ｂに連続した布団吊り具通し穴１０を形成する穴を有し、
前記掛け布団カバー３は布団カバー穴を有し、
前記掛け布団カバー３には、前記布団カバー穴を閉塞する布団カバー補強シートが貼り付けられており、
前記布団カバー補強シートは、前記布団カバー穴の内径より小径の布団カバー吊り具通し穴を有し、
前記布団吊り具通し穴１０と前記布団カバー吊り具通し穴が連続していることを特徴とする吊り具通し穴を有する寝具の上掛けである。
【００１１】
本発明の吊り具通し穴を有する寝具の上掛けにおいては、前記掛け布団カバー３の前記掛け布団２の表面２ａを覆う布団カバー表側布地３０は布団カバー表側穴３２を有し、
前記布団カバー表側布地３０の内側面３０ａと外側面３０ｂに布団カバー表側補強シート３４がそれぞれ貼り付けられており、その各布団カバー表側補強シート３４は、前記布団カバー表側穴３２より小径の布団カバー表側吊り具通し穴１１を有し、
前記掛け布団カバー３の前記掛け布団２の裏面２ｂを覆う布団カバー裏側布地３１は布団カバー裏側穴３３を有し、
前記布団カバー裏側布地３１の内側面３１ａと外側面３１ｂに布団カバー裏側補強シート３５がそれぞれ貼り付けられており、その各布団カバー裏側補強シート３５は前記布団カバー裏側穴３３より小径の布団カバー裏側吊り具通し穴１２を有し、
前記布団カバー表側吊り具通し穴１１と前記布団吊り具通し穴１０と前記布団カバー裏側吊り具通し穴１２が連続して吊り具通し穴となる吊り具通し穴を有する寝具の上掛けとすることができる。
【００１２】
本発明の吊り具通し穴を有する寝具の上掛けは、掛け布団２のみの寝具の上掛け１であって、
前記掛け布団２は、その表面２ａから裏面２ｂに連続した布団穴２４を有し、
前記掛け布団２の表面２ａ、裏面２ｂには、前記布団穴２４を覆う布団表側補強シート２６、布団裏側補強シート２７がそれぞれ貼り付けられており、
前記布団表側補強シート２６と前記布団裏側補強シート２７は、前記布団穴２４の内径より小径で、前記掛け布団２の表面２ａから裏面２ｂに連続した吊り具通し穴を形成する穴をそれぞれ有することを特徴とする吊り具通し穴を有する寝具の上掛けである。
【００１３】
本発明の吊り具通し穴を有する寝具の上掛けにおいては、前記掛け布団２の前記布団穴２４に通し穴穿孔用部材２５が設けられ、
前記掛け布団２の表面２ａにおける前記布団穴２４の周囲と前記通し穴穿孔用部材２５の一方の端面に亘り布団表側補強シート２６が貼り付けられており、前記掛け布団２の裏面２ｂにおける前記布団穴２４の周囲と前記通し穴穿孔用部材２５の他方の端面に亘りそれぞれ貼り付けられた布団裏側補強シート２７で前記布団穴２４が閉塞されており、
前記布団表側補強シート２６と前記通し穴穿孔用部材２５と前記布団裏側補強シート２７が、前記布団穴２４の内径より小径で、前記布団吊り具通し穴１０を形成する穴を有する吊り具通し穴を有する寝具の上掛けとすることができる。
【発明の効果】
【００１４】
本発明の寝具の上掛けに吊り具通し穴をあける方法によれば、穴の周縁がほどけることがない吊り具通し穴をあけることが出来る。
【図面の簡単な説明】
【００１５】
【図１】本発明の吊り具通し穴を有した上掛けの実施の形態を示す使用状態の概略平面図である。
【図２】図１のＡ−Ａ断面図である。
【図３】本発明の吊り具通し穴の実施の形態を示す詳細拡大断面図である。
【図４】掛け布団に布団穴をあける動作説明図である。
【図５】布団穴に通し穴穿孔用部材を押しこむ動作説明図である。
【図６】掛け布団の表面に布団表側補強シートを貼り付ける動作説明図である。
【図７】掛け布団の裏面に布団裏側補強シートを貼り付ける動作説明図である。
【図８】掛け布団に布団吊り具通し穴をあける動作説明図である。
【図９】布団吊り具通し穴をあけた状態の掛け布団の断面図である。
【図１０】掛け布団カバーの布団カバー表側布地に布団カバー表側穴をあける動作説明図である。
【図１１】布団カバー表側穴をあけた布団カバー表側布地の断面図である。
【図１２】掛け布団カバーの布団カバー表側布地の外側面に布団カバー表側補強シートを貼り付ける動作説明図である。
【図１３】掛け布団カバーの布団カバー表側布地の内側面に布団カバー表側補強シートを貼り付ける動作説明図である。
【図１４】布団カバー表側布地の布団カバー表側補強シートに布団カバー表側吊り具通し穴をあける動作説明図である。
【図１５】布団カバー表側吊り具通し穴をあけた布団カバー表側布地の断面図である。
【図１６】吊り具で上掛けを吊り下げ保持する一例の説明図である。
【発明を実施するための形態】
【００１６】
本発明の吊り具通し穴を有する寝具の上掛けの実施の形態を図面に基づいて説明する。
図１は上掛けの使用状態を示す概略平面図、図２は図１のＡ―Ａ断面図である。
上掛け１は、使用状態において所定の長さと幅と厚さを有する平面矩形状である。長さとは、寝具に寝る人の身長方向の寸法である。幅とは長さ方向と直角方向の寸法である。上掛け１は柔軟性を有し、使用しない時に２つに折り畳んだり、３つに折り畳んだり出来る。
上掛け１は、その表面１ａから裏面１ｂに連続した吊り具通し穴１ｃを有している。
吊り具通し穴１ｃは、上掛け１の幅方向両側寄り部に長さ方向に基準のピッチ（基準の間隔）でそれぞれ複数備えられている。
上掛け１は、掛け布団２と掛け布団カバー３を備えている。掛け布団カバー３は、布団カバー表側布地３０と布団カバー裏側布地３１を有した袋状で、布団カバー表側布地３０の内側面３０ａが掛け布団２の表面２ａに触れ、布団カバー裏側布地３１の内側面３１ａが掛け布団２の裏面２ｂに触れるようにして掛け布団カバー３は掛け布団２を被覆している。
なお、理解を容易とするために、図２では掛け布団２の表面２ａ、裏面２ｂと掛け布団カバー３の布団カバー表側布地３０、布団カバー裏側布地３１を離隔して図示してある。
布団カバー表側布地３０の外側面３０ｂは内側面３０ａと表裏反対側の面で、その布団カバー表側布地３０の外側面３０ｂが上掛け１の表面１ａである。布団カバー裏側布地３１の外側面３１ｂは、内側面３１ａと表裏反対側の面で、その布団カバー裏側布地３１の外側面３１ｂが上掛け１の裏面１ｂである。
なお、掛け布団カバー３の一部分は、掛け布団２を出し入れできるように不連続で、その不連続部分はファスナー、ホック、ボタンなどで閉じることが出来るようにしてある。
上掛け１の吊り具通し穴１ｃの数は寝具に寝る人の身長、体格、寝具を敷く場所等に応じて増減する。これにより、幼児、子供、障害者、ダブルベット用の上掛け１を作成できる。
【００１７】
吊り具通し穴１ｃは、掛け布団２の表面２ａから裏面２ｂに連続している布団吊り具通し穴１０と、掛け布団カバー３の布団カバー表側布地３０の外側面３０ｂから内側面３０ａに渡り連続している布団カバー表側吊り具通し穴１１と、掛け布団カバー３の布団カバー裏側布地３１の内側面３１ａから外側面３１ｂに連続している布団カバー裏側吊り具通し穴１２を有し、各吊り具通し穴１０，１１，１２は同一の内径で、同心状に連続して上掛け１の吊り具通し穴１ｃを形成している。なお、各吊り具通し穴１０，１１，１２は断面円形であるが、断面四角形、五角形などの矩形や、楕円形、長円形などとすることが出来る。
つまり、この実施の形態の上掛け１は、掛け布団２と掛け布団カバー３を備えているので、掛け布団２と掛け布団カバー３にそれぞれ吊り具通し穴１０，１１，１２をあけ、各吊り具通し穴１０，１１，１２を連続して上掛け１の吊り具通し穴１ｃとしている。
【００１８】
掛け布団カバー３としては、布団カバー表側布地３０の中央部分が大きく開口し、その開口を吊り具が通る掛け布団カバーや、布団カバー裏側布地３１のみを有した掛け布団カバーなどがある。これらの掛け布団カバーは、布団カバー裏側布地３１に布団カバー裏側吊り具通し穴１２を有していればよい。また、布団カバー裏側布地３１のみを有し、その布団カバー裏側布地３１を掛け布団２の裏面２ｂにホック、ボタンなどで取り付ける掛け布団カバーを有した上掛けは、その掛け布団２の表面２ａにおける寝る人の首が触れる部分にカバーをファスナー、ホック、ボタンなどを用いて取り外し可能に取り付けることが出来る。
上掛け１としては、掛け布団２のみで掛け布団カバー３を備えていない上掛けがある。この上掛けは掛け布団２の布団吊り具通し穴１０が上掛け１の吊り具通し穴１ｃである。
【００１９】
上掛け１の吊り具通し穴１ｃの詳細を図３に基づいて説明する。なお、実際の上掛けは滑らかに湾曲しているが、図３においては、各部材を直線で図示して理解を容易としている。
掛け布団２は、芯材２０と、芯材カバー２１を有している。芯材２０は綿などの柔軟性、保温性等に優れた素材からなる。芯材カバー２１は布団表側布地２２と布団裏側布地２３を有する袋状で、布団表側布地２２の内側面２２ａが芯材２０の表面２０ａに触れ、布団裏側布地２３の内側面２３ａが芯材２０の裏面２０ｂに触れるようにして芯材２０を被覆する。
布団表側布地２２の外側面２２ｂが掛け布団２の表面２ａで、布団裏側布地２３の外側面２３ｂが掛け布団２の裏面２ｂである。
例えば、布地を袋状とした芯材カバー２１の内部に、綿をつめて芯材２０とすることで掛け布団２としている。
【００２０】
掛け布団２は、表面２ａから裏面２ｂに連続した布団穴２４を有している。つまり、芯材カバー２１の布団表側布地２２と芯材２０と芯材カバー２１の布団裏側布地２３に穴２４ａ，２４ｂ，２４ｃをそれぞれ有し、各穴２４ａ，２４ｂ，２４ｃは同一の大きさ（内径）で、同心で一列に連続して布団穴２４を形成している。
布団穴２４の内径は、掛け布団２の布団吊り具通し穴１０の内径より大きい。
布団穴２４に通し穴穿孔用部材２５が嵌め込んである。
通し穴穿孔用部材２５の長さは掛け布団２の厚さと同一で、通し穴穿孔用部材２５の長さ方向の一端面は布団表側布地２２の外側面２２ｂ（掛け布団２の表面２ａ）と面一で、他端面は布団裏側布地２３の外側面２３ｂ（掛け布団２の裏面２ｂ）と面一である。
通し穴穿孔用部材２５の外径は布団穴２４の内径と同一で、通し穴穿孔用部材２５の外周面は布団穴２４の内周面と接触している。
これにより布団穴２４は通し穴穿孔用部材２５で閉塞されている。
【００２１】
布団表側布地２２の外側面２２ｂにおける布団穴２４の周囲と通し穴穿孔用部材２５の一端面に亘り布団表側補強シート２６が貼り付けてある。
布団裏側布地２３の外側面２３ｂにおける布団穴２４の周囲と通し穴穿孔用部材２５の他端面に亘り布団裏側補強シート２７が貼り付けてある。
布団表側補強シート２６の中心に穴２６ａを有し、通し穴穿孔用部材２５の中心に穴２５ａを有し、布団裏側補強シート２７の中心に穴２７ａを有している。      
各穴２６ａ，２５ａ，２７ａの内径は同一で、同心で一列に連続し、各穴２６ａ，２５ａ，２７ａで布団吊り具通し穴１０を形成している。
布団表側補強シート２６、布団裏側補強シート２７は熱接着性のシート、例えば洋服補修用シートである。
布団表側補強シート２６は掛け布団２の表面２ａに乗せ、アイロンなどで加圧、加熱することで掛け布団２の表面２ａに接着して貼り付ける。
布団裏側補強シート２７は、掛け布団２を表裏反転し、その裏面２ｂに乗せ、アイロンなどで加圧、加熱することで掛け布団２の裏面２ｂに接着して貼り付ける。
なお、これに限ることはなく、布団表側補強シート２６、布団裏側補強シート２７は接着剤などで貼り付けることが出来る。
【００２２】
布団吊り具通し穴１０は前述の構成であるから次の利点を有する。
布団吊り具通し穴１０は、布団表側補強シート２６、通し穴穿孔用部材２５、布団裏側補強シート２７に形成してあるので、その穴の周縁がほどけることがない。
即ち、布団表側補強シート２６、布団裏側補強シート２７の布団穴２４の周縁がほどけることを各補強シート２６，２７で防止できる。図３に示す掛け布団２は、布団穴２４（布団表側補強シート２６、布団裏側補強シート２７の穴２４ａ，２４ｃ、芯材２０の穴２４ｂ）を通し穴穿孔用部材２５で閉塞しているので、布団表側補強シート２６、布団裏側補強シート２７、芯材２０の布団穴２４の周縁がほどけることを確実に防止できる。
また、布団表側補強シート２６の穴２６ａと通し穴穿孔用部材２５の穴２５ａと、布団裏側補強シート２７の穴２７ａとで布団吊り具通し穴１０を形成しているので、布団裏側補強シート２７の穴２７ａから布団表側補強シート２６の穴２６ａに吊り具を、通し穴穿孔用部材２５の穴２５ａをガイドとして容易に通すことが出来る。つまり、布団穴２４の内径は各補強シート２６，２７の穴２６ａ，２７ａの内径より大きく、布団表側補強シート２６と布団裏側補強シート２７は芯材２０の厚さだけ離隔しているので、通し穴穿孔用部材２５がなければ、布団裏側補強シート２７の穴２７ａから布団表側補強シート２６の穴２６ａに吊り具を通すことは困難である。
なお、通し穴穿孔用部材２５は必ずしも必要ではなく、芯材２０の厚さが薄い掛け布団などでは通し穴穿孔用部材２５を取り付けなくともよい。
【００２３】
掛け布団カバー３の布団カバー表側布地３０は布団カバー表側穴３２を有し、布団カバー裏側布地３１は布団カバー裏側穴３３を有している。布団カバー表側穴３２の内径と布団カバー裏側穴３３の内径は同一で、表面吊り具通し穴１１、裏面吊り具通し穴１２の内径より大きく、かつ掛け布団２の布団穴２４の内径と同一である。
布団カバー表側穴３２と布団穴２４と布団カバー裏側穴３３は連続し、各穴３２，２４，３３により上掛け１の表面１ａから裏面１ｂに連続した上掛け１の穴を形成している。
布団カバー表側布地３０の内側面３０ａ、外側面３０ｂにおける布団カバー表側穴３２の周囲に布団カバー表側補強シート３４がそれぞれ貼り付けてある。各布団カバー表側補強シート３４はその中心部分が相互に張り付いている。なお、各布団カバー表側補強シート３４は離れていてもよい。
布団カバー裏側布地３１の内側面３１ａ、外側面３１ｂにおける布団カバー裏側穴３３の周囲にも布団カバー裏側補強シート３５がそれぞれ貼り付けてある。各布団カバー裏側補強シート３５はその中心部分が相互に張り付いている。なお、各布団カバー裏側補強シート３５は離れていてもよい。
布団カバー表側補強シート３４、布団カバー裏側補強シート３５は、布団表側、裏側補強シート２６，２７と同様のシートである。
【００２４】
各布団カバー表側補強シート３４は、穴３４ａをそれぞれ有し、各穴３４ａ，３４ａが連続して布団カバー表側吊り具通し穴１１を形成している。
各布団カバー裏側補強シート３５は穴３５ａをそれぞれ有し、各穴３５ａ，３５ａが連続して布団カバー裏側吊り具通し穴１２を形成している。
穴３４ａの内径と穴３５ａの内径は同一で、掛け布団２の通し穴穿孔用部材２５、布団表側、裏側補強シート２６，２７の穴２５ａ，２６ａ，２７ａの内径と同一である。
布団カバー表側吊り具通し穴１１と布団吊り具通し穴１０と布団カバー裏側吊り具通し穴１２は連続し、上掛け１の吊り具通し穴１ｃを形成している。
【００２５】
掛け布団カバー３の布団カバー表側吊り具通し穴１１、布団カバー裏側吊り具通し穴１２は、前述の構成であるから次の利点を有する。
布団カバー表側吊り具通し穴１１、布団カバー裏側吊り具通し穴１２は、布団カバー表側、裏側補強シート３４，３５の穴３４ａ，３５ａを形成しているので、布団カバー表側，裏側補強シート３４，３５の各穴３４ａ，３５ａの周縁がほどけることがない。
また、布団カバー表側布地３０に形成した布団カバー表側穴３２の穴の周縁がほどけることを布団カバー表側補強シート３４で防止できる。
同様に、布団カバー裏側布地３１に形成した布団カバー裏側穴３３の穴の周縁がほどけることを布団カバー裏側補強シート３５で防止できる。
これにより、掛け布団カバー３の布地に形成した吊り具通し穴を形成するための穴の周縁がほどけることがない。
また、掛け布団カバー３は掛け布団２から外して洗濯することがあるが、洗濯により布地に形成した吊り具通し穴を形成するための穴の周縁がほどけることがない。
【００２６】
布団カバー表側布地３０の内側面３０ａ、外側面３０ｂにおける布団カバー表側穴３２の周囲に、布団カバー表側補強シート３４がそれぞれ貼り付けてあるが、外側面３０ｂのみに貼り付けてもよい。
布団カバー裏側布地３１の内側面３１ａ、外側面３１ｂにおける布団カバー裏側穴３３の周囲に、布団カバー裏側補強シート３５がそれぞれ貼り付けてあるが、外側面３１ｂのみに貼り付けてもよい。
【００２７】
次に、上掛け１に吊り具通し穴１ｃをあける方法の一例を説明する。
まず、掛け布団２に布団吊り具通し穴１０をあける方法の一例を説明する。
掛け布団２の表面２ａに吊り具通し穴１ｃをあける位置の目印（吊り具通し穴１ｃの中心位置）を描き、その位置に表面２ａから裏面２ｂに連続した布団穴２４を穴あけ冶具を用いてあける。
例えば、図４に示すように、掛け布団２の裏面２ｂを打ち抜き用ダイ４ａに、穴あけ位置を基準として乗せ、打ち抜き用ポンチ４ｂを表面２ｂの穴あけ位置に当て、その打ち抜き用ポンチ４ｂを打撃することで掛け布団２の穴あけ位置に表面２ａから裏面２ｂに連続して布団穴２４をあける。
穴あけ冶具はドリルなどでもよい。
掛け布団２に布団穴２４をあける時、掛け布団２がたわむことがないように保持することが好ましい。
【００２８】
図５に示すように、通し穴穿孔用部材２５で布団穴２４を塞ぐために、掛け布団２の布団穴２４に通し穴穿孔用部材２５を押込む。
掛け布団２の表面２ａと裏面２ｂにおける布団穴２４の周囲に布団表側補強シート２６、布団裏側補強シート２７をそれぞれ貼り付ける。
例えば、図６に示すように、掛け布団２の裏面２ｂにおける通し穴穿孔用部材２５の部分を支持台５ａに載せ、掛け布団２の表面２ａにおける布団穴２４の周囲に布団表側補強シート２６を置く。この状態で加熱部材としてのアイロン５ｂを布団表側補強シート２６の上に押し付け、加圧、加熱して布団表側補強シート２６を掛け布団２の表面２ａ（布団表側布地２２）と通し穴穿孔用部材２５の長手方向一端面に亘って貼り付ける。
この後、図７に示すように、掛け布団２を表裏反転し、布団表側補強シート２６を支持台５ａに乗せ、掛け布団２の裏面２ｂにおける布団穴２４の周囲に布団裏側補強シート２７を置く。この状態でアイロン５ｂを用いて布団裏側補強シート２７を掛け布団２の裏面２ｂ（布団裏側布地２３）と通し穴穿孔用部材２５の長手方向他端面に亘って貼り付ける。
【００２９】
布団表側補強シート２６、通し穴穿孔用部材２５、布団裏側補強シート２７に連続して穴あけ冶具を用いて布団吊り具通し穴１０をあける。
例えば、図８に示すように、掛け布団２の裏面２ｂ（布団裏側補強シート２７）を打ち抜き用ダイ４ａに載せ、打ち抜き用ポンチ４ｂを表面２ａ（布団表側補強シート２６の中心）に当て、打ち抜き用ポンチ４ｂを打撃することで、図９に示すように、布団表側補強シート２６の中心、通し穴穿孔用部材２５の中心、布団裏側補強シート２７の中心に連続して穴２６ａ，２５ａ，２７ａをあけ、掛け布団２の表面２ａから裏面２ｂに連続した布団吊り具通し穴１０とする。
なお、この打ち抜き用ダイ４ａ、ポンチ４ｂは、布団穴２４をあける打ち抜き用ダイ４ａ、ポンチ４ｂよりも小径である。
また、穴あけ冶具としてはドリルなどを用いることが出来る。
【００３０】
このように、布団表側補強シート２６、通し穴穿孔用部材２５、布団裏側補強シート２７に一度で連続して穴２６ａ，２５ａ，２７ａをあけるので、布団吊り具通し穴１０は掛け布団２の表面２ａから裏面２ｂまで同心で一列に連続し、同一の内径として簡単にあけることが出来る。
【００３１】
掛け布団カバー３の布団カバー表側布地３０に布団カバー表側穴３２をつぎのようにあける。
布団カバー表側布地３０に布団カバー表側吊り具通し穴１１をあける位置の目印を描き、その位置に布団カバー表側穴３２を穴あけ冶具を用いてあける。
例えば図１０に示すように、布団カバー表側布地３０の内側面３０ａを打ち抜き用ダイ４ａに、穴あけ位置を基準として載せ、打ち抜き用ポンチ４ｂを外側面３０ｂの目印部分に当て、打ち抜き用ポンチ４ｂを打撃することで、図１１に示すように布団カバー表側布地３０の穴あけ位置に布団カバー表側穴３２をあける。
穴あけ冶具はドリルなどでもよい。
布団カバー表側布地３０に布団カバー表側穴３２をあける時、布団カバー表側布地３０がたわむことがないように保持することが好ましい。
【００３２】
布団カバー表側布地３０の外側面３０ｂと内側面３０ａに布団カバー表側補強シート３４をそれぞれ貼り付ける。
例えば、図１２に示すように、布団カバー表側布地３０の内側面３０ａにおける布団カバー表側穴３２の周囲を支持台５ａに載せ、布団カバー表側布地３０の外側面３０ｂにおける布団カバー表側穴３２の周囲に一方の布団カバー表側補強シート３４を置く。この状態で加熱部材としてのアイロン５ｂを一方の布団カバー表側補強シート３４の上に押し付け、加圧、加熱して一方の布団カバー表側補強シート３４を布団カバー表側布地３０の外側面３０ｂに貼り付ける。
この後、図１３に示すように、布団カバー表側布地３０を表裏反転し、一方の布団カバー表側補強シート３４を支持台５ａに乗せ、布団カバー表側布地３０の内側面３０ａにおける布団カバー表側穴３２の周囲に他方の布団カバー表側補強シート３４を置く。この状態でアイロン５ｂを用いて他方の布団カバー表側補強シート３４を布団カバー表側布地３０の内側面３０ａに貼り付ける。
【００３３】
一方の布団カバー表側補強シート３４と他方の布団カバー表側補強シート３４に連続して穴あけ冶具を用いて布団カバー表側吊り具通し穴１１（穴３４ａ）をあける。
例えば、図１４に示すように、他方の布団カバー表側補強シート３４を打ち抜き用ダイ４ａに載せ、打ち抜き用ポンチ４ｂを一方の布団カバー表側補強シート３４に当て、打ち抜き用ポンチ４ｂを打撃して図１５に示すように、一方の布団カバー表側補強シート３４と他方の布団カバー表側補強シート３４に穴３４ａをそれぞれ連続してあけ、布団カバー表側吊り具通し穴１１を形成する。
この様に、一方の布団カバー表側補強シート３４と他方の布団カバー表側補強シート３４に一度に連続して穴３４ａをあけるので、穴３４ａを同心で一列に連続して簡単にあけることが出来る。
【００３４】
布団カバー裏側補強シート３５に布団カバー裏側吊り具通し穴１２を前述と同様にしてあける。
【００３５】
掛け布団２と掛け布団カバー３を、布団カバー表側吊り具通し穴１１と布団カバー裏側吊り具通し穴１２が布団吊り具通し穴１０にそれぞれ合うように組み合わせ、掛け布団２を掛け布団カバー３で覆うことで、表面１ａから裏面１ｂに連続した吊り具通し穴１ｃを有する上掛け１とする。
【００３６】
吊り具で上掛け１を吊り下げ保持する一例を図１６に基づいて説明する。
吊り具６を上掛け１の吊り具通し穴１ｃに通し、吊り具６の下方の支持部６ａを上掛け１の裏面１ｂに接して上掛け１を支持し、吊り具６の上下中間の押さえ部６ｂを上掛け１の表面１ａに押し付け、吊り具６の上部を上掛け保持部材の本体に取り付けて上掛け１を吊り下げ保持する。
【符号の説明】
【００３７】
１…上掛け、１ａ…表面、１ｂ…裏面、１ｃ…吊り具通し穴、２…掛け布団、２ａ…表面、２ｂ…裏面、３…掛け布団カバー、４ａ…打ち抜き用ダイ、４ｂ…打ち抜き用ポンチ、５ａ…支持台、５ｂ…アイロン、１０…布団吊り具通し穴、１１…布団カバー表側吊り具通し穴、１２…布団カバー裏側吊り具通し穴、２４…布団穴、２５…通し穴穿孔用部材、２６…布団表側補強シート、２７…布団裏側補強シート、３０…布団カバー表側布地、３１…布団カバー裏側布地、３２…布団カバー表側穴、３３…布団カバー裏側穴、３４…布団カバー表側補強シート、３５…布団カバー裏側補強シート。
【図１】
0006258408.tif 000002
【図２】
0006258408.tif 000003
【図３】
0006258408.tif 000004
【図４】
0006258408.tif 000005
【図５】
0006258408.tif 000006
【図６】
0006258408.tif 000007
【図７】
0006258408.tif 000008
【図８】
0006258408.tif 000009
【図９】
0006258408.tif 000010
【図１０】
0006258408.tif 000011
【図１１】
0006258408.tif 000012
【図１２】
0006258408.tif 000013
【図１３】
0006258408.tif 000014
【図１４】
0006258408.tif 000015
【図１５】
0006258408.tif 000016
【図１６】
0006258408.tif 000017